【手続補正書】
【提出日】平成25年8月19日(2013.8.19)
【手続補正１】
【補正対象書類名】特許請求の範囲
【補正対象項目名】全文
【補正方法】変更
【補正の内容】
【特許請求の範囲】
【請求項１】
身体の中に挿入されたプローブの端が、標的解剖学的環境または非標的解剖学的環境内に位置しているかどうかを選択的に示すためのデバイスであって、該デバイスは、
該プローブに着脱可能に連結可能である第１のポートを有する筐体と、
該第１のポートに連結され、該筐体によって携持されるチャンバと、
該チャンバと信号および物質のうちの少なくとも１つが連通している感知ユニットであって、該感知ユニットは該筐体によって携持され、第１組の感知信号および第２組の感知信号を生成するように構成される、感知ユニットと、
該感知ユニットに連結され、該筐体によって携持される処理ユニットであって、該処理ユニットは、該第１組の感知信号を使用して第１の生理的パラメータ値を決定すること、ならびに該第１組の感知信号および該第２組の感知信号のうちの少なくとも１つを使用して第２の生理的パラメータ値を決定することを行うように構成され、該第１および第２の生理的パラメータ値は、解剖学的環境内の第１の生理的パラメータおよび第２の生理的パラメータにそれぞれ対応する、処理ユニットと、
該処理ユニットに連結され、該筐体によって携持される１組の出力デバイスであって、該第１の生理的パラメータ値および該第２の生理的パラメータ値のうちの少なくとも１つに対応する１組の報告信号を出力するように構成される出力デバイスと
を備え、該第２の生理的パラメータ値は、生理学的測定の種類ならびに該第１組の感知信号および該第２組の感知信号のうちの少なくとも１つに適用される１組の数値演算のうちの少なくとも１つにおいて、該第１の生理的パラメータ値とは異なる、デバイス。
【手続補正２】
【補正対象書類名】明細書
【補正対象項目名】００１０
【補正方法】変更
【補正の内容】
【００１０】
本発明は、例えば、以下を提供する：
（項目１）
身体の中に挿入されたプローブの端が、標的解剖学的環境または非標的解剖学的環境内に位置しているかどうかを選択的に示すためのデバイスであって、該デバイスは、
該プローブに着脱可能に連結可能である第１のポートを有する筐体と、
該第１のポートに連結され、該筐体によって携持されるチャンバと、
該チャンバと信号および物質のうちの少なくとも１つが連通している感知ユニットであって、該感知ユニットは該筐体によって携持され、第１組の感知信号および第２組の感知信号を生成するように構成される、感知ユニットと、
該感知ユニットに連結され、該筐体によって携持される処理ユニットであって、該処理ユニットは、該第１組の感知信号を使用して第１の生理的パラメータ値を決定すること、ならびに該第１組の感知信号および該第２組の感知信号のうちの少なくとも１つを使用して第２の生理的パラメータ値を決定することを行うように構成され、該第１および第２の生理的パラメータ値は、解剖学的環境内の第１の生理的パラメータおよび第２の生理的パラメータにそれぞれ対応する、処理ユニットと、
該処理ユニットに連結され、該筐体によって携持される１組の出力デバイスであって、該第１の生理的パラメータ値および該第２の生理的パラメータ値のうちの少なくとも１つに対応する１組の報告信号を出力するように構成される出力デバイスと
を備え、該第２の生理的パラメータ値は、生理学的測定の種類ならびに該第１組の感知信号および該第２組の感知信号のうちの少なくとも１つに適用される１組の数値演算のうちの少なくとも１つにおいて、該第１の生理的パラメータ値とは異なる、デバイス。
（項目２）
前記第１の報告信号および前記第２の報告信号のうちの少なくとも１つは、視覚信号である、項目１に記載のデバイス。
（項目３）
前記筐体は、使い捨てカートリッジを備える、項目１に記載のデバイス。
（項目４）
前記第１の生理的パラメータ値は、血管圧に対応し、前記第２の生理的パラメータ値は、ヘモグロビン酸化状態に対応する、項目１に記載のデバイス。
（項目５）
前記第１の生理的パラメータ値は、所定の期間に対する血管圧に対応し、前記第２の生理的パラメータ値は、最大血管圧と最小血管圧との間の差に対応する、項目１に記載のデバイス。
（項目６）
前記第１の生理的パラメータ値は、第１の血管圧パラメータおよびヘモグロビン酸化状態のうちの１つに対応し、前記第２の生理的パラメータ値は、第２の血管圧パラメータ、血流速度、および血液化学種レベルのうちの１つに対応する、項目１に記載のデバイス。
（項目７）
前記感知ユニットは、圧力センサと、化学種飽和センサおよび多量栄養素センサのうちの１つとを備える、項目１に記載のデバイス。
（項目８）
前記化学種飽和センサは、酸素濃度計を備える、項目７に記載のデバイス。
（項目９）
前記感知ユニットは、圧力センサ、光学センサ、温度センサ、流体流動性センサ、物質感知電界効果トランジスタ、および生物学的マイクロチップの群からの少なくとも２つを備える、項目１に記載のデバイス。
（項目１０）
前記第１の生理的パラメータ値は、硬膜外腔圧力に対応し、前記第２の生理的パラメータ値は、脳脊髄液特性に対応する、項目１に記載のデバイス。
（項目１１）
前記筐体によって携持され、通路を介して前記第１のポートに連結される補助アクセスポートをさらに備える、項目１に記載のデバイス。
（項目１２）
前記補助アクセスポートは、ガイドワイヤ、１組の光ファイバ、１組の光ファイバを携持するガイドワイヤ、および１組の導線を携持するガイドワイヤの群からの１つを受容するように寸法決定される、項目１１に記載のデバイス。
（項目１３）
前記筐体に選択的に連結可能であるガイドワイヤ保持デバイスをさらに備える、項目１１に記載のデバイス。
（項目１４）
拡張器アセンブリをさらに備え、該拡張器アセンブリは、
前記筐体に連結される支持アームと、
該支持アームに連結される拡張部材と
を備える、項目１に記載のデバイス。
（項目１５）
前記支持アームは、可動式に前記筐体に連結される、項目１４に記載のデバイス。
（項目１６）
前記支持アームは、着脱可能に前記筐体に連結される、項目１４に記載のデバイス。
（項目１７）
前記筐体によって携持される通路を介して前記第１のポートに連結される第２のポートをさらに備える、項目１に記載のデバイス。
（項目１８）
前記第２のポートは、シリンジに着脱可能に連結可能である、項目１７に記載のデバイス。
（項目１９）
前記処理ユニットに連結されるメモリをさらに備え、該メモリは、前記標的解剖学的環境に対応する第１組の参照パラメータ値を記憶し、該第１組の参照パラメータ値は、前記第１の生理的パラメータ値に対応する第１の参照パラメータ値と、前記第２の生理的パラメータ値に対応する第２の参照パラメータ値とを含む、項目１に記載のデバイス。
（項目２０）
前記第１組の参照パラメータは、参照静脈血パラメータ値を備える、項目１９に記載のデバイス。
（項目２１）
前記メモリは、前記標的解剖学的環境以外の解剖学的環境に対応する第２組の参照パラメータ値を記憶し、該第２組の参照パラメータ値は、第１の参照パラメータ値、および前記第２の生理的パラメータ値に対応する第２の参照パラメータ値を示す、項目１９に記載のデバイス。
（項目２２）
前記第２組の参照パラメータは、参照動脈血パラメータ値を備える、項目２１に記載のデバイス。
（項目２３）
前記第２組の参照パラメータは、前記標的解剖学的環境に向けられた医療処置に関して医学的に勧められない解剖学的環境に対応する、項目２１に記載のデバイス。
（項目２４）
前記処理ユニットに連結され、前記筐体によって携持される通信ユニットをさらに備え、該通信ユニットは、携帯用超音波ユニット等の遠隔デバイスとの無線およびワイヤベース通信のうちの少なくとも１つのために構成される、項目１に記載のデバイス。
（項目２５）
前記１組の報告信号は、第１の報告信号と、第２の報告信号とを含み、前記１組の出力デバイスは、該第１および該第２の報告信号を同時に出力するように構成される、項目１に記載のデバイス。
（項目２６）
前記１組の出力デバイスは、前記１組の報告信号内の第１の報告信号の値および該１組の報告信号内の第２の報告信号の値の二状態活性指示を提供するように構成される少なくとも１つの出力デバイスを備える、項目１に記載のデバイス。
（項目２７）
前記１組の出力デバイスは、複数の出力デバイスを備え、該複数の出力デバイス内の各出力デバイスは、前記１組の報告信号内の１つの報告信号の値の少なくとも１つの単一状態活性指示を提供するように構成される、項目１に記載のデバイス。
（項目２８）
前記１組の出力デバイスは、
前記１組の報告信号内の第１の報告信号の値および該１組の報告信号内の第２の報告信号の値の二状態活性指示を提供するように構成される第１の出力デバイスと、
該１組の報告信号内の１つの報告信号の値の単一状態活性指示を提供するように構成される第２の出力デバイスと
を備える、項目１に記載のデバイス。
（項目２９）
前記１組の出力デバイスは、複数のＬＥＤを備える、項目１に記載のデバイス。
（項目３０）
前記複数のＬＥＤは、前記第１の生理的パラメータ値および前記第２の生理的パラメータ値のうちの少なくとも１つが静脈血に対応する場合に起動される第１のＬＥＤと、該第１の生理的パラメータ値および該第２の生理的パラメータ値のうちの少なくとも１つが動脈血に対応する場合に起動される第２のＬＥＤとを備える、項目２９に記載のデバイス。
（項目３１）
前記１組の出力デバイスは、第１の色に対応する第１のＬＥＤと、該第１の色と視覚的に区別可能である第２の色に対応する第２のＬＥＤとを備える、項目２９に記載のデバイス。
（項目３２）
前記１組の出力デバイスは、液晶ディスプレイ（ＬＣＤ）を備える、項目１に記載のデバイス。
（項目３３）
前記１組の出力デバイスは、オーディオデバイス、１組のＬＥＤ、およびＬＣＤの群からの少なくとも２つを備える、項目１に記載のデバイス。
（項目３４）
前記１組の報告信号は、前記第１の生理的パラメータ値を能動的に示す通知信号と、前記プローブの端が前記標的解剖学的環境内に位置するかどうかを選択的に能動的に示すアラート信号とを含む、項目１に記載のデバイス。
（項目３５）
前記１組の報告信号は、前記プローブの端が非標的解剖学的環境内に位置するかどうかを選択的に能動的に示す第２のアラート信号をさらに含む、項目３４に記載のデバイス。
（項目３６）
前記１組の報告信号は、前記プローブの端が前記標的解剖学的環境内に位置するかどうかを能動的に示す第１の通知信号と、該プローブの端が非標的解剖学的環境内に位置するかどうかを能動的に示す第２の通知信号とを選択的に含む、項目１に記載のデバイス。
（項目３７）
前記第１の通知信号は、静脈血に対応し、前記第２の通知信号は、動脈血に対応する、項目３６に記載のデバイス。
（項目３８）
身体から取得され、物質分析チャンバ内に存在する物質が、標的解剖学的場所に対応するかどうかを決定する方法であって、該方法は、
１組の感知デバイスと該物質分析チャンバ内に存在する該物質との間において、信号連通および物質連通の群のうちの少なくとも１つを確立することであって、該１組の感知デバイスは、少なくとも第１の感知デバイスを備え、該１組の感知デバイス内の各感知デバイスは、感知モダリティに従って動作する、ことと、
該１組の感知デバイスを使用して複数の感知信号を取得することと、
該複数の感知信号を使用して第１の生理的パラメータ値および第２の生理的パラメータ値を決定することであって、該第２の生理的パラメータ値は、異なる感知デバイスモダリティに対応していること、ならびに該第１組の感知信号および該第２組の感知信号のうちの少なくとも１つに適用される異なる１組の数値演算に対応していることのうちの少なくとも１つにおいて、該第１の生理的パラメータ値とは異なる、ことと、
該物質が該標的解剖学的場所に対応するかどうかを能動的に示す１組の信号を出力することと
を含む、方法。
（項目３９）
前記物質が前記標的解剖学的場所に対応するかどうかを能動的に示す１組の信号を出力することは、少なくとも１つの視覚信号を出力することを含む、項目３８に記載の方法。
（項目４０）
前記第１の生理的パラメータ値および前記第２の生理的パラメータ値に基づいて、前記物質が前記標的解剖学的場所に対応するかどうかを決定することをさらに含む、項目３８に記載の方法。
（項目４１）
前記物質が前記標的解剖学的場所に対応するかどうかを決定することは、
該標的解剖学的場所に対応する第１組の参照生理的パラメータ値に対して、前記第１の生理的パラメータ値および前記第２の生理的パラメータ値のうちの少なくとも１つを評価することと、
非標的解剖学的場所に対応する第２組の参照生理的パラメータ値に対して、該第１の生理的パラメータ値および該第２の生理的パラメータ値のうちの少なくとも１つを評価することと
を含む、項目４０に記載の方法。
（項目４２）
前記物質が非標的解剖学的場所に対応するかどうかを能動的に示す１組の信号を出力することをさらに含む、項目３８に記載の方法。
（項目４３）
前記物質が非標的解剖学的場所に対応するかどうかを能動的に示す１組の信号を出力することは、少なくとも１つの視覚信号を出力することを含む、項目４２に記載の方法。
（項目４４）
第１の生理的パラメータ値および第２の生理的パラメータ値を決定することは、血中酸素飽和値を決定することと、平均血管圧値および血管圧変動の群からの少なくとも１つを決定することとを含む、項目３８に記載の方法。
（項目４５）
複数の感知信号を取得することは、
前記分析チャンバ内の圧力を検出することと、
該チャンバ内の前記物質の光学的性質を検出することと
を含む、項目３８に記載の方法。
（項目４６）
前記チャンバ内の前記物質の光学的性質を検出することは、該チャンバ内の該物質が光信号を吸収する程度に対応する光信号強度レベルを取得することを含む、項目４５に記載の方法。
（項目４７）
第１の生理的パラメータ値および第２の生理的パラメータ値を決定することは、脳脊髄液圧力および脳脊髄液特性を決定することを含む、項目３８に記載の方法。
（項目４８）
複数の感知信号を取得することは、
前記分析チャンバ内の圧力を検出することと、
該分析チャンバ内の前記物質に対応する少なくとも１つの化学種レベルを検出することと
を含む、項目３８に記載の方法。
（項目４９）
前記分析チャンバ内の圧力を検出することは、脳脊髄液圧力を取得することを含む、項目４８に記載の方法。
（項目５０）
前記分析チャンバ内の前記物質に対応する少なくとも１つの化学種レベルを検出することは、少なくとも１つの脳脊髄液化学種レベルを検出することを含む、項目４８に記載の方法。
（項目５１）
少なくとも１つの脳脊髄液化学種レベルを検出することは、脳脊髄液のタンパク質濃度および脳脊髄液のグルコースレベルのうちの少なくとも１つを検出することを含む、項目５０に記載の方法。
（項目５２）
解剖学的環境評価デバイス（ＡＥＣＤ）を、開口部を有するプローブに連結することであって、該ＡＥＣＤは、
該プローブに着脱可能に連結可能である第１のポートを有する筐体であって、該第１のポートは該プローブの該開口部と流体連通している、筐体と、
前記物質分析チャンバであって、該第１のポートに連結され、該筐体によって携持される物質分析チャンバと、
前記１組の感知デバイスであって、該筐体によって携持される１組の感知デバイスと、
前記感知ユニットに連結され、該筐体によって携持される処理ユニットと、
該処理ユニットに連結され、該筐体によって携持される１組の出力デバイスと
を備える、ことと、
該プローブを生物組織に挿入することと、
該プローブを介して該物質分析チャンバの中に前記物質を受容することと
をさらに含む、項目３８に記載の方法。
（項目５３）
標的解剖学的部位に位置するプローブ端についての能動的指示、または非標的解剖学的部位に位置するプローブ端についての能動的指示を生成するように構成される処理ユニットを有するデバイスであって、該デバイスは、
プローブに連結可能である第１のポートを有する筐体と、
該第１のポートに連結され、該筐体によって携持されるチャンバであって、解剖学的物質を携持するチャンバと、
該チャンバと信号および物質のうちの少なくとも１つが連通している感知ユニットであって、第１組の感知信号および第２組の感知信号を生成するように構成される感知ユニットと、
該感知ユニットに連結され、該筐体によって携持される処理ユニットと、
プログラム命令を記憶する電子的にプログラム可能な媒体であって、該プログラム命令は、該処理ユニットに、
該第１組の感知信号を使用して第１の生理的パラメータ値を決定するステップと、
該第２組の感知信号を使用して第２の生理的パラメータ値を決定するステップであって、該第２の生理的パラメータは、生理学的測定の種類ならびに該第１組の感知信号および該第２組の感知信号のうちの少なくとも１つに適用される１組の数値演算のうちの少なくとも１つにおいて、該第１の生理的パラメータ値とは異なる、ステップと、
１組の報告信号を生成するステップであって、該報告信号は、該解剖学的物質が該標的解剖学的場所または該非標的解剖学的場所に対応するかどうかを能動的に示す、ステップと
を行わせる、媒体と、
該処理ユニットに連結され、該筐体によって携持される１組の出力デバイスであって、該１組の報告信号を出力するように構成される、出力デバイスと
を備える、デバイス。
（項目５４）
前記１組の出力デバイスは、少なくとも１つの視覚表示デバイスを含む、項目５３に記載のデバイス。
（項目５５）
前記電子的にプログラム可能な媒体は、前記処理ユニットに、前記標的解剖学的場所に対応する第１組の参照生理的パラメータ値に対して、前記第１の生理的パラメータ値および前記第２の生理的パラメータ値のうちの少なくとも１つを評価することを行わせるプログラム命令をさらに記憶する、項目５３に記載のデバイス。
（項目５６）
前記電子的にプログラム可能な媒体は、前記処理ユニットに、前記非標的解剖学的場所に対応する第２組の参照生理的パラメータ値に対して、前記第１の生理的パラメータ値および前記第２の生理的パラメータ値のうちの少なくとも１つを評価することを行わせるプログラム命令をさらに記憶する、項目５５に記載のデバイス。
（項目５７）
身体の中に挿入されたプローブの端が、第１の解剖学的環境または第２の解剖学的環境内に位置しているかどうかを示すデバイスであって、該デバイスは、
第１のポートを有する筐体と、
該第１のポートに連結され、該筐体によって携持されるチャンバと、
該チャンバと信号および物質のうちの少なくとも１つが連通している感知ユニットであって、該筐体によって携持され、少なくとも１つの感知モダリティに従って複数の感知信号を生成するように構成される感知ユニットと、
該感知ユニットに連結され、該筐体によって携持される処理ユニットであって、該複数の感知信号を使用して複数の生理的パラメータ値を決定するように構成される処理ユニットと、
該処理ユニットに連結され、該筐体によって携持される１組の出力デバイスであって、該第１の解剖学的環境に対応する第１組の報告信号を能動的に出力するように構成され、該第２の解剖学的環境に対応する第２組の報告信号を能動的に出力するように構成される出力デバイスと
を備える、デバイス。
（項目５８）
前記第１の解剖学的環境は、標的解剖学的環境に対応し、前記第２の解剖学的環境は、非標的解剖学的環境に対応する、項目５７に記載のデバイス。
（項目５９）
前記複数の生理的パラメータ値は、第１の感知モダリティに対応する第１の生理的パラメータ値と、該第１の感知モダリティとは異なる第２の感知モダリティに対応する第２の生理的パラメータ値とを含む、項目５７に記載のデバイス。
（項目６０）
前記処理ユニットに連結され、前記筐体によって携持されるメモリをさらに備え、該メモリは、前記第１の標的解剖学的環境を示す第１組の参照生理的パラメータ値、および前記第２の標的解剖学的環境を示す第２組の参照生理的パラメータ値を記憶する、項目５７に記載のデバイス。
（項目６１）
身体から取得され、物質分析チャンバ内に存在する物質が、第１の解剖学的環境または第２の解剖学的環境に対応するかどうかを決定する方法であって、該方法は、
筐体を提供することであって、該筐体は、ポート、該ポートに連結される物質分析チャンバ、感知ユニット、該感知ユニットに連結される処理ユニット、該処理ユニットに連結されるメモリ、および該処理ユニットに連結される出力ユニットを携持する、ことと、
該感知ユニットと、該物質分析チャンバ内に存在する該物質との間において信号連通および物質連通の群のうちの少なくとも１つを確立することであって、該感知ユニットは、少なくとも１つの感知モダリティに従って複数の感知信号を生成するように構成される、ことと、
該感知ユニットを使用して複数の感知信号を取得することと、
該複数の感知信号を使用して複数の生理的パラメータ値を決定することと、
該物質が該第１の解剖学的環境または該第２の解剖学的環境に対応するかどうかを能動的に示す１組の報告信号を出力することと
を含み、該１組の報告信号は、少なくとも１つの視覚信号を含む、方法。
（項目６２）
前記第１の解剖学的環境は、標的解剖学的環境に対応し、前記第２の解剖学的環境は、非標的解剖学的環境に対応する、項目６１に記載の方法。
（項目６３）
前記第１の解剖学的環境は、静脈の場所に対応し、前記第２の解剖学的環境は、動脈の場所に対応する、項目６１に記載の方法。
（項目６４）
前記第１の解剖学的環境を示す第１組の参照生理的パラメータ値、および前記第２の解剖学的環境を示す第２組の参照生理的パラメータ値を前記メモリに記憶することと、
前記複数の生理的パラメータ値が、該第１組の参照生理的パラメータ値または該第２組の参照生理的パラメータ値に対応するかどうかを決定することと
をさらに含む、項目６１に記載の方法。
（項目６５）
前記１組の報告信号を出力することは、
前記複数の生理的パラメータ値が、前記第１組の参照生理的パラメータ値に対応する場合に、前記物質が前記第１の解剖学的環境に対応することを能動的に示す第１の報告信号を出力することと、
該複数の生理的パラメータ値が、前記第２組の参照生理的パラメータ値に対応する場合に、該物質が前記第２の解剖学的環境に対応することを能動的に示す第２の報告信号を出力することと
を含む、項目６４に記載の方法。
（項目６６）
前記複数の生理的パラメータ値が、前記第１の解剖学的環境または前記第２の解剖学的環境のうちのどちらにも対応しない場合に、前記第１報告信号を出力することを回避することと、前記第２報告信号を出力することを回避することとをさらに含む、項目６５に記載の方法。
（項目６７）
前記１組の生理的パラメータ値内の１つの生理的パラメータ値および前記１組の報告信号内の１つの報告信号の群からの少なくとも１つを前記筐体の外部のデバイスに伝達することをさらに含む、項目６１に記載の方法。
（項目６８）
身体の中に挿入されたプローブの遠位部分が、標的解剖学的環境内に位置しているかどうかを検出するデバイスであって、該デバイスは、
筐体であって、該筐体は、該プローブに着脱可能に連結可能である第１のポートを有する遠位部分、およびシリンジに着脱可能に連結可能である第２のポートを有する近位部分を有し、該第１のポートは、該第２のポートに流体連結される、筐体と、
該筐体によって携持される圧力感知ユニットであって、連結されたプローブが設置されている環境の圧力に応じて、圧力信号を生成するように構成される圧力感知ユニットと、
該感知ユニットに連結され、該筐体によって携持される処理ユニットであって、該圧力信号を受信し、該信号に基づいて、該連結されたプローブの該遠位部分の周囲の該環境の圧力値を決定するように構成される処理ユニットと、
該処理ユニットに連結され、該筐体によって携持される出力ユニットであって、該決定された圧力値に基づいて、報告信号を視覚ディスプレイに出力するように構成される出力ユニットと
を備え、該圧力感知ユニット、処理ユニット、および出力ユニットは、実質的に該筐体の該第１のポートと該第２のポートとの間に配置される、デバイス。
（項目６９）
前記筐体は、実質的に前記遠位筐体部分と前記近位筐体部分との間に配置される中間部分を備え、該中間部分は、該圧力感知ユニット、処理ユニット、および出力ユニットを携持する、項目６８に記載のデバイス。
（項目７０）
前記視覚ディスプレイは、前記筐体と連結されると近位に角度を成している、項目６８に記載のデバイス。
（項目７１）
前記プローブは、針またはカテーテルである、項目６８に記載のデバイス。
（項目７２）
前記デバイスは、使い捨てである、項目６８に記載のデバイス。
（項目７３）
前記視覚ディスプレイは、検出された圧力のデジタルおよびアナログ表現の両方を含有する、項目６８に記載のデバイス。
（項目７４）
前記視覚ディスプレイと前記プローブの少なくとも一部分とは、両方とも、前記デバイスの使用中、可視的である、項目６８に記載のデバイス。
（項目７５）
前記筐体によって携持され、前記第１のポートに流体連結されるガイドワイヤポートをさらに備える、項目６８に記載のデバイス。
（項目７６）
前記第１のポートに連結されるプローブと、前記第２のポートに連結されるシリンジとをさらに備え、それにより、一緒に連結され、軸方向および順番に配設された該プローブと、該デバイスと、該シリンジとを備えるアセンブリを提供する、項目６８に記載のデバイス。
（項目７７）
前記デバイスは、医療提供者による手持ち式の使用のためにサイズ決定される、項目６８に記載のデバイス。
（項目７８）
患者の解剖学的環境内の圧力の変動以外の要因からの前記デバイス内の圧力の変動に適応するように構造化された圧力緩和または緩衝システムをさらに備える、項目６８に記載のデバイス。
（項目７９）
前記圧力緩和または緩衝システムは、前記デバイスの圧力管と流体チャネルとの間に配置される貯留部を備える、項目７８に記載のデバイス。
（項目８０）
身体の中に挿入されたプローブの遠位部分が標的解剖学的環境内に位置しているかどうかを検出するデバイスであって、該デバイスは、
筐体であって、近位部分、および該プローブに着脱可能に連結可能である第１のポートを有する遠位部分を有する筐体と、
該筐体によって携持される圧力感知ユニットであって、連結されたプローブが設置されている環境の圧力に応じて圧力信号を生成するように構成される感知ユニットと、
該感知ユニットに連結され、該筐体によって携持される処理ユニットであって、該圧力信号を受信し、該信号に基づいて該連結されたプローブの近位部分の周囲の該環境の圧力値を決定するように構成される処理ユニットと、
該処理ユニットに連結され、該筐体によって携持される出力ユニットであって、該決定された圧力値に基づいて報告信号を視覚ディスプレイに出力するように構成される出力ユニットと、
該筐体によって携持され、該第１のポートに流体連結されるガイドワイヤポートと
を備える、デバイス。
（項目８１）
前記筐体の前記近位部分は、シリンジに着脱可能に連結可能である第２のポートを備え、前記第１のポートは、チャネルの周囲において該第２のポートに流体連結される、項目８０に記載のデバイス。
（項目８２）
前記チャネルは、前記デバイスの外面に少なくとも部分的に半透明であることにより、該チャネル内の流体の可視化を可能にする、項目８１に記載のデバイス。
（項目８３）
前記ガイドワイヤポートは、前記チャネルに流体連結される、項目８１に記載のデバイス。
（項目８４）
前記圧力感知ユニットは、前記チャネルと動作可能に連通している、項目８１に記載のデバイス。
（項目８５）
前記視覚ディスプレイは、前記筐体によって携持されると近位に角度を成している、項目８０に記載のデバイス。
（項目８６）
項目８１に記載のデバイスと、前記第１のポートに連結されるプローブと、前記第２のポートに連結されるシリンジとを備える、アセンブリ。
（項目８７）
前記ガイドワイヤポートを通して前進させられるガイドワイヤをさらに備え、該ガイドワイヤの遠位部分は、前記プローブの遠位端から外に伸張する、項目８６に記載のアセンブリ。
（項目８８）
身体の中に挿入されたプローブの遠位部分が標的解剖学的環境内に位置しているかどうかを検出するデバイスであって、該デバイスは、
筐体であって、該プローブに着脱可能に連結可能である第１のポートを有する遠位部分、および閉鎖近位部分を有する筐体と、
該筐体によって携持される圧力感知ユニットであって、連結されたプローブが設置されている環境の圧力に応じて、圧力信号を生成するように構成される感知ユニットと、
該感知ユニットに連結され、該筐体によって携持される処理ユニットであって、該圧力信号を受信し、該信号に基づいて、該連結されたプローブの近位部分の周囲の該環境の圧力値を決定するように構成される処理ユニットと、
該処理ユニットに連結され、該筐体によって携持される出力ユニットであって、該出力ユニットは、該決定された圧力値に基づいて、報告信号を視覚ディスプレイに出力するように構成され、該視覚ディスプレイは、該筐体によって携持されると近位に角度を成している、出力ユニットと
を備え、該圧力感知ユニット、処理ユニット、および出力ユニットは、実質的に該筐体の該第１のポートと該近位部分との間に配置される、デバイス。
（項目８９）
項目６８、８０、または８８に記載のデバイスを提供することと、該デバイスの前記第１のポートに連結されるプローブの遠位部分を患者の前記身体の中に挿入することと、該プローブが設置されている環境の圧力を検出することと含む、方法。
（項目９０）
前記検出された圧力に応じて、前記デバイスまたは前記連結されたプローブの遠位部分の位置を操作または維持することをさらに含む、項目８９に記載の方法。
（項目９１）
前記検出された圧力に応じて、ガイドワイヤ、カテーテル、または化学剤を導入することをさらに含む、項目９０に記載の方法。
（項目９２）
前記検出された圧力に応じて、前記プローブが設置されている前記環境から流体を吸引することをさらに含む、項目９０に記載の方法。
（項目９３）
前記プローブが設置されている前記患者の身体環境は、血管、くも膜下腔、硬膜外腔、胸膜腔、血流低下の疑いがある身体区画、麻酔薬の注入のために標的化される神経に近接した組織、足首の動脈、血管移植片、または動静脈瘻を含む、項目８９に記載の方法。
（項目９４）
項目６８、８０、または８８に記載のデバイス、および前記第１のポートに連結するための１つ以上のプローブ、１つ以上のシリンジ、ガイドワイヤ、もしくはカテーテル、またはそれらの組み合わせを備える、キット。
本発明は、患者体内の解剖学的環境の生理的パラメータを検出または監視するステップを含むことができる、標的解剖学的部位へのアクセスを促進するためのシステム、デバイス、および関連方法を提供する。